(57)【要約】【課題】部品点数が少なく、筐体（グリップ部）の強度補強、グリップ時の安定性の向上、及びデザイン性に優れた携帯機器の筐体構造を提供する。【解決手段】このカメラの筐体１０は、金属材料を中空押出し成形して構成されており、グリップ部１２の肉厚は、他の部位の肉厚よりも厚くなるように押出し成形されている。金属材料の中空押出し成形により筐体１０が構成されているため、筐体１０の合わせ目をなくすことができ（いわゆるシームレスデザインとすることができ）、滑らかで一体感のある優れた外観にすることができるとともに、従来のフロントキャビ、リアキャビの２部品の合わせ目での強度低下が発生することがない。また、グリップ部１２を偏肉（厚肉化）させることにより、重心位置Ｇをグリップ部１２に近づけたり、グリップ部の把持方向の剛性を高くすることができる。【選択図】  図１
2009133901.tif 000002
【特許請求の範囲】
【請求項１】
金属材料を中空押出し成形して構成された携帯機器の筐体構造において、
前記携帯機器の筐体のグリップ部の肉厚が他の部位の肉厚よりも厚くなるように前記筐体を押出し成形したことを特徴とする携帯機器の筐体構造。
【請求項２】
前記グリップ部は、前記筐体を片手で把持する一方の側部に成形され、
前記グリップ部の偏肉により前記筐体の重心位置が前記グリップ側に偏倚するようにしたことを特徴とする請求項１に記載の携帯機器の筐体構造。
【請求項３】
前記グリップ部は、前記筐体を片手で把持する一方の側部に成形され、
前記グリップ部の偏肉により前記グリップ部の把持時の剛性を高くするようにしたことを特徴とする請求項１又は２に記載の携帯機器の筐体構造。
【請求項４】
前記筐体の押出し成形時の押出し方向は、前記筐体の上下方向又は前後方向であることを特徴とする請求項１から３のいずれかに記載の携帯機器の筐体構造。
【請求項５】
前記携帯機器はカメラであり、
前記グリップ部は、前記カメラによる撮影時に右手で把持する一方の側部に成形されていることを特徴とする請求項１から４のいずれかに記載の携帯機器の筐体構造。
【請求項６】
前記グリップ部は、肉厚が外観に現れるようにその一部が後加工によって切削されていることを特徴とする請求項１から５のいずれかに記載の携帯機器の筐体構造。
【請求項７】
金属材料を中空押出し成形して構成された携帯機器の筐体構造において、
前記携帯機器の筐体を、前後方向の厚みが薄いほぼ矩形の偏平な筒状に中空押出し成形するとともに、前記筐体の押出し方向と直交する断面における短手方向の肉厚が長手方向の肉厚よりも厚くなるように前記筐体を押出し成形し、前記筐体の剛性を高くするようにしたことを特徴とする携帯機器の筐体構造。
【請求項８】
前記筐体の押出し成形時の押出し方向は、前記筐体の上下方向であることを特徴とする請求項７に記載の携帯機器の筐体構造。
【発明の詳細な説明】
【技術分野】
【０００１】
本発明は携帯機器の筐体構造に係り、特に中空押出し成形による成形品である携帯機器の筐体構造に関する。
【背景技術】
【０００２】
従来、金属材料（ビレット）を不等肉厚展伸材として押し出し、この不等肉厚展伸材を鍛造加工してなるノートパソコン等の電子機器用筐体が提案されている（特許文献１）。
【０００３】
この電子機器用筐体は、筐体の各部に応じて不等肉厚とし、筐体全体の強度と曲げ剛性を向上させるようにしている。
【０００４】
また、押出し成形された筐体を利用して音響空間を構成した電子鍵盤楽器が提案されている（特許文献２）。
【０００５】
一方、絞り加工によって指かけとなる凸形状部が形成された金属製カメラグリップと、非金属性カメラグリップ（外側がエラストマー、内側がプラスチックの２色成型品）とによって構成された撮像装置のグリップが提案されている（特許文献３）。
【特許文献１】特開２００７−５２６１６号公報
【特許文献２】特開２００６−１９５２６３号公報
【特許文献３】特開２００６−４７８５７号公報
【発明の開示】
【発明が解決しようとする課題】
【０００６】
特許文献１に記載の電子機器用筐体は、押出し成形された不等肉厚展伸材を、鍛造加工により側壁の立ち上げ等の加工を行っており、中空押出しされた成形品ではない。また、特許文献２に記載の電子鍵盤楽器用の筐体も中空押出しされた成形品ではない。
【０００７】
一方、特許文献３に記載の撮像装置のグリップは、押出し成形されたものではない。
【０００８】
本発明はこのような事情に鑑みてなされたもので、部品点数が少なく、筐体（グリップ部）の強度補強、グリップ時の安定性の向上、及びデザイン性に優れた携帯機器の筐体構造を提供することを目的とする。
【課題を解決するための手段】
【０００９】
前記目的を達成するために請求項１に係る発明は、金属材料を中空押出し成形して構成された携帯機器の筐体構造において、前記携帯機器の筐体のグリップ部の肉厚が他の部位の肉厚よりも厚くなるように前記筐体を押出し成形したことを特徴としている。
【００１０】
金属材料の中空押出し成形により携帯機器の筐体が構成されているため、筐体の合わせ目をなくすことができ（いわゆるシームレスデザインとすることができ）、滑らかで一体感のある優れた外観にすることができるとともに、従来のフロントキャビ、リアキャビの２部品の合わせ目での強度低下が発生しないという利点がある。また、グリップ部を偏肉（厚肉化）させることにより、重心位置をグリップ部に近づけたり、グリップ部の把持方向の剛性を高くすることができる。
【００１１】
請求項２に示すように請求項１に記載の携帯機器の筐体構造において、前記グリップ部は、前記筐体を片手で把持する一方の側部に成形され、前記グリップ部の偏肉により前記筐体の重心位置が前記グリップ側に偏倚するようにしたことを特徴としている。これにより、筐体の重心位置をグリップ部に近づけることができ、グリップ時の安定性の向上、及び手振れの防止を図ることができる。
【００１２】
請求項３に示すように請求項１又は２に記載の携帯機器の筐体構造において、前記グリップ部は、前記筐体を片手で把持する一方の側部に成形され、前記グリップ部の偏肉により前記グリップ部の把持時の剛性を高くするようにしたことを特徴としている。
【００１３】
請求項４に示すように請求項１から３のいずれかに記載の携帯機器の筐体構造において、前記筐体の押出し成形時の押出し方向は、前記筐体の上下方向又は前後方向であることを特徴としている。
【００１４】
請求項５に示すように請求項１から４のいずれかに記載の携帯機器の筐体構造において、前記携帯機器はカメラであり、前記グリップ部は、前記カメラによる撮影時に右手で把持する一方の側部に成形されていることを特徴としている。
【００１５】
請求項６に示すように請求項１から５のいずれかに記載の携帯機器の筐体構造において、前記グリップ部は、肉厚が外観に現れるようにその一部が後加工によって切削されていることを特徴としている。
【００１６】
偏肉成形されたグリップ部のうちの一部を後加工によって切削することにより、切削された部分に光沢を出してデザイン性の向上を図るとともに、偏肉部分の肉厚感を外観面に表すことができる。
【００１７】
請求項７に係る発明は、金属材料を中空押出し成形して構成された携帯機器の筐体構造において、前記携帯機器の筐体を、前後方向の厚みが薄いほぼ矩形の偏平な筒状に中空押出し成形するとともに、前記筐体の押出し方向と直交する断面における短手方向の肉厚が長手方向の肉厚よりも厚くなるように前記筐体を押出し成形し、前記筐体の剛性を高くするようにしたことを特徴としている。
【００１８】
前記筐体の押出し方向と直交する断面における短手方向の肉厚を厚くすることにより、筐体の剛性を高くすることができるとともに、携帯機器の外観の大きさをできるだけ目立たないようにすることができる。
【００１９】
請求項８に示すように請求項７に記載の携帯機器の筐体構造において、前記筐体の押出し成形時の押出し方向は、前記筐体の上下方向であることを特徴としている。
【発明の効果】
【００２０】
本発明によれば、金属材料を中空押出し成形して携帯機器の筐体を成形し、特に携帯機器のグリップ部を偏肉（厚肉化）させることにより、重心位置をグリップ部に近づけてグリップ時の安定性を向上させたり、グリップ部の把持方向の剛性を高くすることができる。
【発明を実施するための最良の形態】
【００２１】
以下、添付図面に従って本発明に係る携帯機器の筐体構造の好ましい実施の形態について説明する。
【００２２】
＜第１の実施の形態＞
図１は本発明に係る携帯機器の筐体構造の第１の実施の形態を示す図であり、同図（Ａ）は筐体１０の斜視図であり、同図（Ｂ）は同図（Ａ）のＡ−Ａ線に沿う断面図である。
【００２３】
この携帯機器の筐体１０は、カメラ（デジタルカメラ）の筐体であり、前後方向の厚みが薄いほぼ矩形の平たい筒状に中空押出し成形されたものである。
【００２４】
押出し成形は、金属材料(ビレット)を耐圧厚肉容器の中に入れ、ピストンによって金属材料に圧力を加え、ダイス穴から押し出すことにより、所定の断面形状を持つ成形品を得る成形方法である。
【００２５】
押出し機の出口に様々な型のダイスを設け、このダイスを通して金属材料を押し出すことにより、任意形状の断面をもつ成形品を製造することができる。尚、金属材料としては、例えば、アルミ合金、マグネシウム合金、ステンレス等の金属材料が適用される。
【００２６】
図１に示す筐体１０は、カメラの縦方向（図１上の上下方向）に押出し成形され、上下に開口端１０Ａを有し、側面がシームレス化され、滑らかで一体感のあるデザインとなっている。
【００２７】
また、筐体１０の両側部は、側面部エッジ感と押出し断面形状Ｒとで「サークル＆エッジ」のデザインが演出されている。更に、筐体１０には、従来のフロントキャビ、リアキャビの２部品からなる筐体のような合わせ目がなく、ここでの強度の低下を招くことがない。
【００２８】
筐体１０の一方の側部（筐体１０を右手で把持する側部）には、グリップ部１２が成形されている。このグリップ部１２は偏肉グリップであり、その肉厚は、他の部位の肉厚よりも厚くなるように押出し成形されている。
【００２９】
この偏肉グリップにより、筐体１０の重心位置Ｇをグリップ部１２側に偏倚させることができる。即ち、筐体１０の重心位置Ｇをグリップ部１２に近づけることにより、筐体１０のグリップ部１２を右手で把持した時の筐体１０の安定性の向上、及び手振れの防止を図ることができる。
【００３０】
尚、筐体１０は、後加工（フライス加工等）により撮影レンズが配置される開口１４、フラッシュの発光部が配置される開口１６、及び液晶モニタが配置される開口（図示せず）等が形成される。また、筐体１０の中空部分には、カメラの内容物（レンズユニット、回路基板等）が収納される。
【００３１】
［第１の実施の形態の変形例］
図２は図１に示した第１の実施の形態の携帯機器の筐体構造の変形例を示す斜視図である。
【００３２】
図２（Ａ）に示すように、筐体１０（図１（Ａ）と同じもの）のグリップ部１２は、前方に大きく膨らんだ形状を有しており、押出し方向の全幅にわたって同一の断面形状を有している（図１（Ｂ）参照）。
【００３３】
図２（Ｂ）に示す筐体１０’は、図２（Ａ）に示した筐体１０のグリップ部１２の上部を後加工により切削してなるグリップ部１２’を有している。
【００３４】
上記グリップ部１２’の上部の切削部分１２Ａには、金属材料（金属材料）の地色の光沢が現れる。これにより、高級感、デザイン性の向上を図ることができる。また、偏肉グリップの肉厚感を外観面に表すことができる。
【００３５】
尚、グリップ部１２’の上部を切削してもカメラ（筐体１０’）のホールド性に影響がなく、また、カメラを机上等に置く場合にも安定性に影響しない。
【００３６】
＜第２の実施の形態＞
図３は本発明に係る携帯機器の筐体構造の第２の実施の形態を示す斜視図である。
【００３７】
この携帯機器の筐体２０は、カメラ（デジタルカメラ）の筐体であり、前後方向の厚みが薄いほぼ矩形の平たい筒状に中空押出し成形されたものであり、図１に示した第１の実施の形態の筐体１０とは、主として押出し方向が異なる。
【００３８】
即ち、図１に示した第１の実施の形態の筐体１０は、カメラの縦方向に押出し形成されたものであるが、図３に示す筐体２０は、カメラの前後方向に中空押出し成形されたものである。
【００３９】
また、この筐体２０の右手で把持される側部（グリップ部）２２は、これと対向する側部２４に比べて肉厚が厚くなるように押出し成形されている。
【００４０】
この偏肉グリップにより、筐体２０の重心位置Ｇをグリップ部２２側に偏倚させることができる。即ち、筐体２０の重心位置Ｇをグリップ部２２に近づけることにより、筐体２０のグリップ部２２を右手で把持した時の筐体２０の安定性の向上、及び手振れの防止を図ることができる。
【００４１】
＜第３の実施の形態＞
図４は本発明に係る携帯機器の筐体構造の第３の実施の形態を示す断面図である。
【００４２】
この携帯機器の筐体３０は、図１に示した第１の実施の形態の筐体１０と略同じ外観形状を有するカメラ（デジタルカメラ）の筐体である。
【００４３】
同図に示すように、筐体３０の一方の側部（筐体３０を右手で把持する側部）には、グリップ部３２が成形されている。このグリップ部３２は偏肉グリップであり、その肉厚は、他の部位の肉厚よりも厚くなるように押出し成形されている。
【００４４】
グリップ部３２は、偏肉（厚肉化）されているため、握る方向（矢印３４の方向）の筐体３０の強度を補強すること（剛性を高くすること）ができる。
【００４５】
＜第４の実施の形態＞
図５は本発明に係る携帯機器の筐体構造の第４の実施の形態を示す斜視図である。
【００４６】
この携帯機器の筐体４０は、カメラ（デジタルカメラ）の筐体であり、前後方向の厚みが薄いほぼ矩形の平たい筒状に中空押出し成形されたものであり、Ｘ、Ｙ、Ｚは、筐体４０の幅、高さ、厚み方向の外形寸法を示している。
【００４７】
図１に示す筐体４０は、カメラの縦方向（図５上の高さＹの方向）に押出し成形され、上下に開口端４０Ａを有し、側面がシームレス化され、滑らかで一体感のあるデザインとなっている。
【００４８】
そして、この筐体４０は、押出し方向と直交する断面における短手方向の肉厚４２が、長手方向の肉厚４４よりも厚くなるように押出し成形されている。
【００４９】
このように、筐体４０の押出し方向と直交する断面における短手方向の肉厚４２を厚くすることにより、筐体４０の握る方向（図４の矢印３４の方向）の剛性を高くすることができる。
【００５０】
また、筐体４０の中空部分の容積を一定とした場合、筐体４０の断面における短手方向の肉厚４２を厚くすると、筐体４０の幅方向の寸法Ｘが大きくなり、一方、長手方向の肉厚４４を厚くすると、筐体の厚み方向の寸法Ｚが大きくなる。
【００５１】
そして、筐体４０の押出し方向と直交する断面における短手方向の肉厚４２を厚くした方が、長手方向の肉厚４４を厚くする場合よりも筐体４０の外観の大きさの増加が目立たないようにすることができる。
【００５２】
即ち、筐体４０の押出し方向と直交する断面における短手方向の肉厚４２をΔｔだけ厚くすると、筐体４０の容積は、Ｙ・Ｚ・２Δｔだけ増加し、長手方向の肉厚４４をΔｔだけ厚くすると、筐体４０の容積は、Ｘ・Ｙ・２Δｔだけ増加する。この筐体４０は、幅Ｘに比べて厚みＺが小さいため、短手方向の肉厚４２を厚くした方が、長手方向の肉厚を厚くするよりも容積の増加量を抑制することができる（Ｙ・Ｚ・２Δｔ＜Ｘ・Ｙ・２Δｔ）。
【００５３】
＜その他の変形例＞
第１の実施の形態から第４の実施の形態の筐体は、押出し機に取り付けられる押出しダイスのダイス型を変えることでそれぞれ押出し成形することができるが、筐体の形状は、これらの実施の形態のものに限定されない。
【００５４】
また、第１の実施の形態から第４の実施の形態を適宜組み合わせてなる筐体構造にしてもよい。
【００５５】
更に、この実施の形態では、カメラの筐体について説明したが、本発明はカメラの筐体に限らず、携帯電話（カメラ付き携帯電話）、携帯情報端末（ＰＤＡ）、ポータブルプレーヤ、ゲーム機等の他の携帯機器の筐体でもよい。
【００５６】
また、本発明は、以上の例には限定されず、本発明の要旨を逸脱しない範囲において、各種の改良や変形を行ってもよいことは言うまでもない。
【図面の簡単な説明】
【００５７】
【図１】図１は本発明に係る携帯機器の筐体構造の第１の実施の形態を示す図である。
【図２】図２は図１に示した第１の実施の形態の携帯機器の筐体構造の変形例を示す斜視図である。
【図３】図３は本発明に係る携帯機器の筐体構造の第２の実施の形態を示す斜視図である。
【図４】図４は本発明に係る携帯機器の筐体構造の第３の実施の形態を示す断面図である。
【図５】図５は本発明に係る携帯機器の筐体構造の第４の実施の形態を示す斜視図である。
【符号の説明】
【００５８】
１０、１０’、３０、４０…筐体、１６、３２、１２、２２、３２…グリップ部
【図１】
2009133901.tif 000003
【図２】
2009133901.tif 000004
【図３】
2009133901.tif 000005
【図４】
2009133901.tif 000006
【図５】
2009133901.tif 000007